(57)【要約】【課題】  本発明の課題は、種々の施工に対応することが可能であり、かつ、製造コストをできるだけ低く抑えながら製造することができるアダプタ９０を提供することにある。また、このアダプタ９０を用いた設備機器の制御システム４０，４５を提供することも本発明の課題とする。【解決手段】  制御切換アダプタ９０は、接続部７０および切換部５０を備える。接続部７０は、設備機器１１２ならびに第１制御機器１２８，１５０および第２制御機器１２１を少なくとも接続する。切換部５０は、第１制御機器１２８，１５０からの入力信号が第２制御機器１２１からの入力信号よりも優先する状態と、第１制御機器１２８，１５０からの入力信号が第２制御機器１２１からの入力信号と同格となる状態とを切り換えることができる。【選択図】      図３
2005241103.tif 000002
【特許請求の範囲】
【請求項１】
設備機器（１１２）、ならびに前記設備機器（１１２）を制御する第１制御機器（１２８，１５０）および第２制御機器（１２１）を少なくとも接続する接続部（７０）と、
前記第１制御機器（１２８，１５０）からの入力信号が前記第２制御機器（１２１）からの入力信号よりも優先する状態と、前記第１制御機器（１２８，１５０）からの入力信号が前記第２制御機器（１２１）からの入力信号と同格となる状態とを切換可能な切換部（５０）と、
を備える、制御切換アダプタ（９０）。
【請求項２】
前記接続部（７０）は、第３制御機器（１４０）をさらに接続し、
前記切換部（５０）は、前記第３制御機器（１４０）からの入力信号が前記第１制御機器（１２８，１５０）からの入力信号と同格となる状態と、前記第３制御機器（１４０）からの入力信号が前記第１制御機器（１２８，１５０）からの入力信号よりも優先する状態とを切換可能である、
請求項１に記載の制御切換アダプタ（９０）。
【請求項３】
設備機器（１１２）と、
前記設備機器（１１２）を制御する第１制御機器（１２８，１５０）および第２制御機器（１２１）と、
設備機器（１１２）、第１制御機器（１２８，１５０）および第２制御機器（１２１）を少なくとも接続する接続部（７０）と、前記第１制御機器（１２８，１５０）からの入力信号が前記第２制御機器（１２１）からの入力信号よりも優先する状態と、前記第１制御機器（１２８，１５０）からの入力信号が前記第２制御機器（１２１）からの入力信号と同格となる状態とを切換可能な切換部（５０）とを有する制御切換アダプタ（９０）と、
を備える、設備機器の制御システム（４０，４５）。
【発明の詳細な説明】
【技術分野】
【０００１】
本発明は、設備機器を制御する制御機器が複数ある場合に、その制御の優先度を設定することができる制御切換アダプタ、およびその制御切換アダプタを用いる設備機器の制御システムに関する。
【背景技術】
【０００２】
近年、図１に示すような空調制御システム３０が施工されることがある。この空調制御システム３０では、エアコン１２、ワイヤードリモコン２１、手元スイッチ２８およびカードキー２３が、アダプタ２０を介して接続されている。このような空調制御システム３０において、アダプタ２０は、手元スイッチ２８の接点入力信号がワイヤードリモコン２１の接点入力信号よりも優先するように設計されている。つまり、例えば、手元スイッチ２８がオフになっていると、ワイヤードリモコン２１ではエアコン１２を運転させることができない。また逆に、手元スイッチ２８がオンになっていると、ワイヤードリモコン２１ではエアコン１２を停止させることができない。このため、例えば、ホテル客が就寝時に手元スイッチ２８をオフにし、起床するときに手元スイッチ２８をオンにし忘れていた場合、そのホテル客は、ワイヤードリモコン２１でエアコン１２を運転させることはできない。そして、ホテル客はそのことに気付いた後にわざわざ手元スイッチ２８をオンしに行かなければならないため、そのホテル客は苦痛を感じるおそれがある。
（なお、本願発明者は、このようなアダプタや空調制御システムなどの存在は知っているが、先行技術文献として挙げられるような特許文献や非特許文献についてはその所在を知らない。）
【発明の開示】
【発明が解決しようとする課題】
【０００３】
このような問題は、手元スイッチ２８の接点入力信号とワイヤードリモコン２１の接点入力信号とが同格になるようなアダプタ（つまり、後押し優先となるアダプタ）を開発することにより、容易に解決される。
ところが、上述したようなアダプタ（優先度が固定されるアダプタ）は、このような場合以外の施工で必要とされる場合が少なくないため、今後は２種類のアダプタをほぼ同時期に製造する必要が出てくる。しかしながら、アダプタの製造ラインが１つしか設置されていないような場合には、市場の要求に応じて生産の切換計画を組むことをしいられたり生産切換時に製造ラインの一部を変更するのに人件費がかかったりすることが想定され、生産の全体的な製造コストの上昇が懸念される。この問題を解決する手段として１枚の基板の上に両アダプタで採用される回路などを形成するなどの手も考えられるが、原料費がかさむことが容易に想定されるため効果的な解決策とはなり得ない。
【０００４】
本発明の課題は、種々の施工に対応することが可能であり、かつ、製造コストをできるだけ低く抑えながら製造することができるアダプタを提供することにある。また、このアダプタを用いた設備機器の制御システムを提供することも本発明の課題とする。
【課題を解決するための手段】
【０００５】
請求項１に記載の制御切換アダプタは、接続部および切換部を備える。接続部は、設備機器ならびに第１制御機器および第２制御機器を少なくとも接続する。なお、ここにいう「制御機器」とは、設備機器を制御する機器である。また、ここにいう「第１制御機器」とはホームコントローラや手元スイッチ（接点）などであり、「第２制御機器」とはワイヤードリモコンなどである。また、ここにいう「設備機器」とは、エアコン、除湿機、加湿機および空気清浄機などである。切換部は、第１制御機器からの入力信号が第２制御機器からの入力信号よりも優先する状態と、第１制御機器からの入力信号が第２制御機器からの入力信号と同格となる状態とを切り換えることができる。なお、第１制御機器からの入力信号が第２制御機器からの入力信号と同格である状態では、後押し優先となる。
【０００６】
ここでは、切換部が、第１制御機器からの入力信号が第２制御機器からの入力信号よりも優先する状態と、第１制御機器からの入力信号が第２制御機器からの入力信号と同格となる状態とを切り換えることができる。このため、本発明に係る制御切換アダプタは、種々の施工に対応することが可能である。また、この制御切換アダプタは、１品種として製造でき、かつ、切換部の部分にのみ若干の原材料費がかかるのみである。したがって、本発明に係る制御切換アダプタは、その製造コストをできるだけ低く抑えながら製造することができる。
【０００７】
請求項２に記載の制御切換アダプタは、請求項１に記載の制御切換アダプタであって、接続部は、第３制御機器をさらに接続している。なお、ここにいう「第３制御機器」とは、集中制御機器などである。切換部は、第３制御機器からの入力信号が第１制御機器からの入力信号と同格となる状態と、第３制御機器からの入力信号が第１制御機器からの入力信号よりも優先する状態とを切り換えることができる。
【０００８】
ここでは、例えば、一般に最も高い優先度を設定される集中制御機器などが通常通りにリモコンや手元スイッチなどよりも優先するか、それとも集中制御機器などがリモコンや手元スイッチなどと同格になるかを切り換えることが可能となり、制御の柔軟性を高めることができる。
請求項３に記載の設備機器の制御システムは、設備機器、第１制御機器および第２制御機器、ならびに制御切換アダプタを備える。なお、ここにいう「制御機器」とは、設備機器を制御する機器である。制御切換アダプタは、接続部および切換部を有する。接続部は、設備機器、第１制御機器および第２制御機器を少なくとも接続する。切換部は、第１制御機器からの入力信号が第２制御機器からの入力信号よりも優先する状態と、第１制御機器からの入力信号が第２制御機器からの入力信号と同格となる状態とを切り換えることができる。
【０００９】
ここでは、切換部が、第１制御機器からの入力信号が第２制御機器からの入力信号よりも優先する状態と、第１制御機器からの入力信号が第２制御機器からの入力信号と同格となる状態とを切り換えることができる。通常、施工形態が変更された場合は、アダプタを他種のアダプタに変更しなければならないが、本発明に係る制御システムでは、施工形態が変更された場合であっても切換作業のみでその変更に対応することが可能となる。したがって、施工変更時における変更作業コストを低減することができる。
【発明の効果】
【００１０】
請求項１に係る制御切換アダプタは、種々の施工に対応することが可能である。また、この制御切換アダプタは、１品種として製造でき、また、切換部の部分にのみ若干の原材料費がかかるのみである。したがって、本発明に係る制御切換アダプタは、その製造コストをできるだけ低く抑えながら製造することができる。
請求項２に係る制御切換アダプタでは、例えば、一般に最も高い優先度を設定される集中制御機器などが通常通りにリモコンや手元スイッチなどよりも優先するか、それとも集中制御機器などがリモコンや手元スイッチなどと同格になるかを切り換えることが可能となり、制御の柔軟性を高めることができる。
【００１１】
請求項３に係る設備機器の制御システムでは、施工形態が変更された場合であっても切換作業のみでその変更に対応することが可能となる。したがって、施工変更時における変更作業コストを低減することができる。
【発明を実施するための最良の形態】
【００１２】
本発明の実施の形態では、制御切換アダプタおよびエアコンの制御システムについて説明する。
図２および図３には、エアコンの空調制御システム４０およびそのシステム４０に用いられる制御切換アダプタ９０の構成を示す。
［エアコンの制御システムの構成］
エアコンの空調制御システム４０は、図２に示すように、主に、エアコン１１２、ワイヤードリモコン１２１、手元スイッチ１２８、制御切換アダプタ９０およびカードキー１２３から構成される。
【００１３】
［制御システムの構成要素］
（１）エアコン
エアコン１１２は、主に、寝室空間の空気調和を行う。なお、ここにいう「空気調和」とは、温度調整、湿度調整および空気清浄などを意味する。
（２）ワイヤードリモコン
ワイヤードリモコン１２１は、制御切換アダプタ９０を介してエアコン１１２と接続される。このワイヤードリモコン１２１では、エアコン１１２の運転／停止の選択、設定温度や設定湿度の調整、風量の調整、および運転モード（例えば、冷房運転モード、暖房運転モードおよびドライ運転モードなど）の切換などを行うことができる。
【００１４】
（３）手元スイッチ
手元スイッチ１２８は、制御切換アダプタ９０を介してエアコン１１２と接続される。この手元スイッチ１２８は、エアコン１１２の運転／停止スイッチ（図示せず）である。なお、この手元スイッチ１２８は、エアコン１１２の冷暖切換スイッチ（図示せず）および風量調節つまみ（図示せず）であってもかまわない。なお、これらのスイッチおよびつまみは、すべて常時接点で構成される。運転／停止スイッチでは、エアコン１１２の運転／停止の選択を行うことができる。冷暖切換スイッチでは、エアコン１１２の冷房／暖房の選択を行うことができる。風量調節つまみでは、停止、微風、弱風および強風の選択を行うことができる。
【００１５】
（４）制御切換アダプタ
制御切換アダプタ９０は、図３に示すように、主に、設定スイッチ５０、端子台７０、専用コネクタ８０、その他マイコンやメモリなどの電子素子（図示せず）、およびこれらの電気素子を接続する電子回路（図示せず）が基板上に配置されることにより構成されている。
【００１６】
設定スイッチ５０は計１２個用意されており、図番５１，５２，５３，５４のスイッチはグループＮＯ．下位設定スイッチ、図番５５，５６，５７のスイッチはグループＮＯ．上位設定スイッチ、図番５８のスイッチは停電復帰時動作設定スイッチ、図番５９のスイッチは動作モード設定スイッチ、図番６０のスイッチは瞬時／常時接点設定スイッチ、図番６１のスイッチは接点入力優先度設定スイッチ、そして図番６２のスイッチは日本国内機／海外機設定スイッチとなっている。グループＮＯ．下位設定スイッチ５１，５２，５３，５４およびグループＮＯ．上位設定スイッチ５５，５６，５７は、切換により集中制御機器に対する制御切換アダプタ９０のアドレスを設定することができる。停電復帰時動作設定スイッチ５８は、オンに設定されていると停電前にエアコン１１２が運転中であった場合に電源復帰時に自動的に停電前の設定でエアコン１１２が作動し、オフに設定されていると電源復帰時にエアコン１１２は停止したままになる。動作モード設定スイッチ５９は、手元スイッチ１２８が運転／停止スイッチである場合はオフに設定され、手元スイッチ１２８が冷暖切換スイッチ／風量調節つまみである場合はオンに設定される。瞬時／常時接点設定スイッチ６０は、手元スイッチ１２８が瞬時接点入力の場合はオフに設定され、手元スイッチ１２８が常時接点入力の場合はオンに設定される。接点入力優先度設定スイッチ６１は、オンに設定されていると手元スイッチ１２８からの接点入力信号がワイヤードリモコン１２１からの接点入力信号よりも優先され、オフに設定されていると手元スイッチ１２８からの接点入力信号がワイヤードリモコン１２１からの接点入力信号と同格になる（なお、図４に示すように、さらに集中制御機器１４０が制御切換アダプタ９０に接続される場合は、集中制御機器１４０の接点入力信号が常にワイヤードリモコン１２１の接点入力信号よりも優先される。そして、ここで、接点入力優先度設定スイッチ６１がオンに設定されていると、手元スイッチ１２８からの接点入力信号が集中制御機器１４０の接点入力信号と同格となる（つまり、手元スイッチ１２８の接点入力信号がワイヤードリモコン１２１の接点入力信号よりも優先される）。また、接点入力優先度設定スイッチ６１がオフに設定されていると、手元スイッチ１２８からの接点入力信号がワイヤードリモコン１２１の接点入力信号と同格になる（つまり、集中制御機器１４０の接点入力信号が手元スイッチ１２８の接点入力信号よりも優先される）。）。日本国内機／海外機設定スイッチ６２は、オンに設定されていると制御切換アダプタ９０が海外機に対応するようになり、オフに設定されていると制御切換アダプタ９０が日本国内機に対応するようになる。
【００１７】
端子台７０は計１５個用意されており（図３参照）、図番７１の端子台は伝送用端子台、図番７２の端子台は電源用端子台、図番７３の端子台は運転／停止及び異常／正常表示取り出し端子台、図番７４の端子台は第１制御用入力端子台（左はタイマ接点用、右は発停用常時／瞬時接点用または冷暖切換用常時接点用）、そして図番７５の端子台は第２制御用入力端子台（風量設定用）となっている。伝送用端子台７１には、集中制御機器（図示せず）が接続される。電源用端子台７２には、運転／停止及び異常／正常表示に用いるリレー駆動用電源（図示せず）が接続される。運転／停止及び異常／正常表示取り出し端子台７３には、異常／正常を表示する回路の開閉を行うリレーが接続される。第１制御用入力端子台７４には、カードキー１２３（タイマ接点）、手元スイッチ１２８（運転／停止スイッチおよび冷暖切換スイッチ）が接続される。第２制御用入力端子台７５には、手元スイッチ１２８（風量調節つまみ）が接続される。
【００１８】
専用コネクタ８０は計３つ用意されており、図番８１の専用コネクタは連絡ハーネス接続コネクタ、図番８２の専用コネクタはワイヤードリモコン接続用コネクタ、図番８３の専用コネクタはJEMA-HA対応機器接続コネクタとなっている。連絡ハーネス接続コネクタ８１には、エアコン１１２が接続される。ワイヤードリモコン接続用コネクタ８２には、ワイヤードリモコン１２１が接続される。JEMA-HA対応機器接続コネクタ８３には、JEMA-HA対応機器（エアコン１１２のドレンポンプなど）が接続される。
【００１９】
（５）カードキー
カードキー１２３は、いわゆるタイマ接点入力であり、カードが挿入されタイマ接点が開になると、ワイヤードリモコン１２１からの指令を許可させる。一方、カードが脱着されタイマ接点が閉になると、エアコン１１２に対して停止指令を送り、ワイヤードリモコン１２１からの指令を禁止させる。
【００２０】
また、接点入力優先度設定スイッチ６１がオンに設定されている場合は、カードキー１２３からの接点入力信号と手元スイッチ１２８からの接点入力信号とは同格となり、タイマ接点が閉である場合でも手元スイッチ１２８からの指令が許可されるので手元スイッチ１２８からの操作が可能である。一方、接点入力優先度設定スイッチ６１がオフに設定されている場合は、カードキー１２３からの接点入力信号が手元スイッチ１２８からの接点入力信号より優先となり、タイマ接点が閉のときは手元スイッチ１２８からの指令が禁止されるので手元スイッチ１２８からの操作は不可能となる。
【００２１】
［接点入力優先度設定スイッチの設定］
この空調制御システム４０では、接点入力優先度設定スイッチ６１は、オフに設定される。つまり、手元スイッチ１２８からの接点入力信号は、ワイヤードリモコン１２１からの接点入力信号と同格になる。このため、例えば、ホテル客が就寝時に手元スイッチ１２８をオフにし、起床するときに手元スイッチ１２８をオンにし忘れていた場合でも、そのホテル客は、ワイヤードリモコン１２１でエアコン１１２を運転させることができる。したがって、ホテル客が不便を感じるおそれを排除することができる。
【００２２】
［他の施工パターンに対する対応］
この制御切換アダプタ９０は、図３や図４に示されるような施工パターンだけでなく、図５に示されるような施工パターンにも対応可能である。図５には、その施工パターンに係る空調制御システム４５が示されている。この空調制御システム４５は、主に、エアコン１１２、制御切換アダプタ９０、ワイヤードリモコン１２１およびホームコントローラ１５０から構成されている。なお、エアコン１１２およびワイヤードリモコン１２１の制御切換アダプタ９０への接続については、図２に示される空調制御システム４０と同様である。また、ホームコントローラ１５０は、制御切換アダプタ９０の第１制御用入力端子台７４に接続される。ここで、例えば、図５に示されるエアコン１１２が設置される空間にペットなどがいて、この空間からエアコン１１２の運転／停止操作が必要でない場合には、接点入力優先度設定スイッチ６１を、オンに設定し、ホームコントローラ１５０からの接点入力信号がワイヤードリモコン１２１からの接点入力信号よりも優先されるようにしておくのが好ましい。間違えてペットがワイヤードリモコン１２１のボタンを押したとしてもその入力は無効とされるからである。
【００２３】
［制御システムおよび制御切換アダプタの特徴］
（１）
本実施の形態に係る空調制御システム４０では、制御切換アダプタ９０が、手元スイッチ１２８からの接点入力信号がワイヤードリモコン１２１からの接点入力信号よりも優先する状態と、手元スイッチ１２８からの接点入力信号がワイヤードリモコン１２１からの接点入力信号と同格となる状態とを切り換えることができる。
【００２４】
通常、施工形態が変更された場合は、アダプタを他種のアダプタに変更しなければならないが、本空調制御システム４０では、施工形態が変更された場合であっても切換作業のみでその変更に対応することが可能となる。したがって、施工変更時における変更作業コストを低減することができる。
（２）
本実施の形態に係る制御切換アダプタ９０は、手元スイッチ１２８からの接点入力信号がワイヤードリモコン１２１からの接点入力信号よりも優先する状態と、手元スイッチ１２８からの接点入力信号がワイヤードリモコン１２１からの接点入力信号と同格となる状態とを切り換えることができる。このため、本制御切換アダプタ９０は、１品種として製造でき、かつ、設定スイッチ（ＤＩＰスイッチ）５０にのみ若干の原材料費がかかるのみである。したがって、本制御切換アダプタ９０は、その製造コストをできるだけ低く抑えながら製造することができる。
【００２５】
（３）
本実施の形態に係る制御切換アダプタ９０は、集中制御機器１４０の接点入力信号が手元スイッチ１２８の接点入力信号よりも優先する状態と、集中制御機器１４０の接点入力信号が手元スイッチ１２８の接点入力信号と同格になる状態とを切り換えることもできる。したがって、制御の柔軟性を高めることができる。
【００２６】
［変形例］
先の実施形態に係る空調制御システム４０では、ワイヤードリモコン１２１と手元スイッチ１２８との優先／同格関係を制御切換アダプタ９０の接点入力優先度設定スイッチ６１で切り換えることができるようにしていたが、ワイヤレスリモコンと手元スイッチ１２８との優先／同格関係を制御切換アダプタ９０の接点入力優先度設定スイッチ６１で切り換えることができるにしてもよい。
【産業上の利用可能性】
【００２７】
本発明に係る制御切換アダプタは、種々の施工に対応することが可能であり、設備機器の制御技術などとして有用である。また、本発明に係る設備機器の制御システムでは、施工形態が変更された場合であっても切換作業のみでその変更に対応することが可能となり、設備機器の制御環境の変化に柔軟に対応することができる。
【図面の簡単な説明】
【００２８】
【図１】従来の空調制御システムを表す図。
【図２】本発明に係る空調制御システムを表す図。
【図３】本発明に係る制御切換アダプタの上面図。
【図４】本発明に係る空調制御システムを表す図。
【図５】施工パターン変更後のレイアウトを表す図。
【符号の説明】
【００２９】
４０，４５      空調制御システム（設備機器の制御システム）
５０            設定スイッチ（切換部）
７０            端子台（接続部）
９０            制御切換アダプタ
１１２            エアコン（設備機器）
１２１            ワイヤードリモコン（第２制御機器）
１２８            手元スイッチ（第１制御機器）
１４０            集中制御機器（第３制御機器）
１５０            ホームコントローラ（第１制御機器）
【図１】
2005241103.tif 000003
【図２】
2005241103.tif 000004
【図３】
2005241103.tif 000005
【図４】
2005241103.tif 000006
【図５】
2005241103.tif 000007